(57)【特許請求の範囲】
【請求項１】
フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体であって、
上記識別子が示す情報がディスク状記録媒体上に印刷表示されていることを特徴とするディスク状記録媒体。
【請求項２】
フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体の記録装置であって、
上記識別子を上記ディスク状記録媒体の管理領域から読み取る読取手段と、
上記記録装置を示す定数を有するとともに、上記定数を基に、上記読取手段により読み取られた識別子が使用可能なディスク状記録媒体であることを示すか否かを判断する判断手段と、
上記判断手段の結果に応じてディスク状記録媒体に対する記録動作を制御する制御手段と、
上記制御手段の制御に基づいてディスク状記録媒体に対する記録処理を行う記録手段とを備え、
上記制御手段は、上記判断手段の結果により使用可能なディスク状記録媒体であった場合のみ、上記ディスク状記録媒体の情報領域に対する記録処理を行うように上記記録手段を制御することを特徴とするディスク状記録媒体の記録装置。
【請求項３】
上記識別子は、各々が変数である複数の識別子からなり、
上記判断手段は、上記複数の識別子を用いた所定の演算を行う演算手段を備え、上記演算手段の演算結果が当該判断手段が有する上記定数であった場合のみ、使用可能なディスク状記録媒体であると判断することを特徴とする請求項２記載のディスク状記録媒体の記録装置。
【請求項４】
上記管理のためのコードは、上記ディスク状記録媒体の生産管理情報、品質管理情報及び上記ディスク状記録媒体に対応した機器の情報を示すことを特徴とする請求項３記載のディスク状記録媒体の記録装置。
【請求項５】
上記定数は、上記記録装置が、上記ディスク状記録媒体に情報を記録できる範囲を制御するものであることを特徴とする請求項２記載のディスク状記録媒体の記録装置。
【請求項６】
フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体の再生装置であって、
上記識別子を上記ディスク状記録媒体の管理領域から読み取る読取手段と、
上記再生装置を示す定数を有するとともに、上記定数を基に、上記読取手段により読み取られた識別子が使用可能なディスク状記録媒体であることを示すか否かを判断する判断手段と、
上記判断手段の結果に応じて上記ディスク状記録媒体に対する再生動作を制御する制御手段と、
上記制御手段の制御に基づいて上記ディスク状記録媒体上に記録されたデータを再生して出力する再生出力手段とを備え、
上記制御手段は、上記判断手段の結果により使用可能なディスク状記録媒体であった場合のみ、上記ディスク状記録媒体の情報領域に対する再生処理を行うように上記再生出力手段を制御することを特徴とするディスク状記録媒体の再生装置。
【請求項７】
上記再生出力手段は、上記ディスク状記録媒体上に記録されたデータを再生して出力すると共に、上記読取手段により読み取られた識別子も出力することを特徴とする請求項６記載のディスク状記録媒体の再生装置。
【請求項８】
上記識別子は、各々が変数である複数の識別子からなり、
上記判断手段は、上記複数の識別子を用いた所定の演算を行う演算手段を備え、上記演算手段の演算結果が当該判断手段が有する上記定数であった場合のみ、使用可能なディスク状記録媒体であると判断することを特徴とする請求項６記載のディスク状記録媒体の再生装置。
【請求項９】
上記識別子は、ディスク状記録媒体の生産管理情報、品質管理情報及びディスク状記録媒体に対応した機器の情報を示す情報からなることを特徴とする請求項６記載のディスク状記録媒体の再生装置。
【請求項１０】
上記定数は、上記再生装置が、上記ディスク状記録媒体に記録されている情報の再生できる範囲を制御するものであることを特徴とする請求項６記載のディスク状記録媒体の再生装置。
【発明の詳細な説明】
【０００１】
【発明の属する技術分野】
本発明は、書換型用のディスク状記録媒体、上記ディスク状記録媒体上にデータを記録するディスク状記録媒体の記録装置、及び上記ディスク状記録媒体上に記録されたデータを再生するディスク状記録媒体の再生装置に関するものである。
【０００２】
【従来の技術】
今日において、ディジタル情報メディアの実用化と普及が進んできている。ディジタル情報メディアをその形態で大きく分けると、テープ、ディスク、メリッドの３方式に分けられるが、アクセスの良さや、記録密度の大きさ等の理由により、ディスク・メモリが占める比率が高くなりつつある。このようなディスク・メモリとして、例えば、光磁気ディスクを使用した書換可能なディスク状記録媒体（以下、書換型ディスクと言う。）がある。
【０００３】
【発明が解決しようとする課題】
しかし、書換型ディスクにおいて、従来では、フォーマット時には書換型ディスクのフォーマットのみが行われ、フォーマット後の書換型ディスクは、何も記録されていない状態で使用されていた。このため、使用者がフォーマット済みの書換型ディスクに対して、故意に番号や名称を付けない限り、どの書換型ディスクにどのような情報が記録されているか明確にすることができなかった。また、書換型ディスクに記録されている情報を利用する際、目的とする情報が記録されている書換型ディスクを検索する作業が非常にめんどうであった。これは、複数の書換型ディスクにわたり検索する必要がある場合等は、特に顕著である。
【０００４】
例えば、図１２に示すように、書換型ディスクに画像情報を記録し、また、書換型ディスクに記録された画像情報を再生する図示していない記録／再生装置を用いて、書換型ディスクＤiscＥ，ＤiscＦに各々記録された画面ＤE，ＤFをプリントアウトする、又は他の書換型ディスクＤiscＧにコピーする場合、書換型ディスクＤiscＥに記録されている画面ＤEは、モニタＭを用いて画面表示することにより確認することができる。また、書換型ディスクＤiscＦに記録されている画面ＤFも書換型ディスクＤiscＥの場合と同様にして、モニタＭを用いて画面表示することにより確認することができる。
【０００５】
しかし、プリントアウトして得られたプリント画面ＰE，ＰF、又は画面がコピーされた書換型ディスクＤiscＧからは、どの書換型ディスクに記録された情報のプリント結果であるか否か、又はコピー結果であるか否かを判別することができなかった。このため、再度プリントアウトしたいときや、コピーしたいとき等、元の書換型ディスクである書換型ディスクＤiscＥ，ＤiscＦの内容を再度モニタＭを用いて確認する必要があった。
【０００６】
したがって、上述のようにしてプリントアウトやコピー等を行うことにより情報の広範囲の利用を図る場合、その時その情報がどの書換型ディスクからプリントアウトされたものであるか、又はコピーされたものであるかを明確にすることが困難であった。特に、複数枚の書換型ディスクを作成して広く情報を活用する場合等は、その作業に非常に手間がかかってしまっていた。また、例えば、時間がたってしまったプリント結果や、孫、曾孫の書換型ディスクからは、元の書換型ディスクを探し出すことができなかった。
【０００７】
また、書換型ディスクの製造時に記録されるＩＤＮｏ．は、ＩＤＮｏ．の内容に関しての何等かの意味付けがなされたものであるが、このＩＤＮｏ．が製造場所やフォーマット事業所等の管理Ｎｏ．等として記録されたとき、ＩＤＮｏ．としては、シリアル又はＬｏｔ．Ｎｏ．に関して順次送りする必要性がある。このため、ＩＤＮｏ．は、変数となってしまう。このようなＩＤＮｏ．が記録された書換型ディスクを上述した記録／再生装置のようなディスク利用機器で使用する場合、ＩＤＮｏ．が変数であるため、ディスク利用機器において、ＩＤＮｏ．を利用して使用する書換型ディスクが正規に記録された物であるか否か、すなわち正規のルールで、また、規定に従ってフォーマットされた書換型ディスクであるか否かを判断することができなかった。
【０００８】
そこで、本発明は、上述の如き従来の実情に鑑みてなされたものであり、次のような目的を有するものである。
【０００９】
即ち、本発明の目的は、ディスク状記録媒体を識別する識別子を有することにより、ディスク状記録媒体及び上記ディスク状記録媒体に記録されている情報を容易に識別することができるディスク状記録媒体を提供することにある。
【００１０】
また、本発明の目的は、ディスク状記録媒体に記録されている情報の管理を効率的に行うことができるディスク状記録媒体を提供することにある。
【００１１】
本発明の目的は、ディスク状記録媒体を容易に識別するディスク状記録媒体の記録装置を提供することにある。
【００１２】
また、本発明の目的は、ディスク状記録媒体に記録されている情報の管理を効率的に行うことができるディスク状記録媒体の記録装置を提供することにある。
【００１３】
本発明の目的は、ディスク状記録媒体及び上記ディスク状記録媒体に記録されている情報を容易に識別するディスク状記録媒体の再生装置を提供することにある。
【００１４】
また、本発明の目的は、ディスク状記録媒体に記録されている情報の管理を効率的に行うことができるディスク状記録媒体の再生装置を提供することにある。
【００１５】
【課題を解決するための手段】
上述の課題を解決するために、本発明は、フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体であって、上記識別子が示す情報がディスク状記録媒体上に印刷表示されていることを特徴とする。
【００１９】
上述の課題を解決するために、本発明は、フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体の記録装置であって、上記識別子を上記ディスク状記録媒体の管理領域から読み取る読取手段と、上記記録装置を示す定数を有するとともに、上記定数を基に、上記読取手段により読み取られた識別子が使用可能なディスク状記録媒体であることを示すか否かを判断する判断手段と、上記判断手段の結果に応じてディスク状記録媒体の情報領域に対する記録動作を制御する制御手段と、上記制御手段の制御に基づいてディスク状記録媒体に対する記録処理を行う記録手段とを備える。そして、上記制御手段は、上記判断手段の結果により使用可能なディスク状記録媒体であった場合のみ、上記ディスク状記録媒体の情報領域に対する記録処理を行うように上記記録手段を制御することを特徴とする。
【００２０】
また、本発明に係るディスク状記録媒体の記録装置は、上記識別子は、各々が変数である複数の識別子からなる。そして、上記判断手段は、上記複数の識別子を用いた所定の演算を行う演算手段を備え、上記演算手段の演算結果が当該判断手段が有する上記定数であった場合のみ、使用可能なディスク状記録媒体であると判断することを特徴とする。
【００２１】
また、本発明に係るディスク状記録媒体の記録装置は、上記管理のためのコードは、上記ディスク状記録媒体の生産管理情報、品質管理情報及び上記ディスク状記録媒体に対応した機器の情報を示すことを特徴とする。
さらに、本発明に係るディスク状記録媒体の記録装置は、上記定数は、上記記録装置が、上記ディスク状記録媒体に情報を記録できる範囲を制御するものであることを特徴とする。
【００２２】
上述の課題を解決するために、本発明は、フォーマット機器によってフォーマットを行った際に、当該ディスク状記録媒体を再生若しくは記録する機器を示す定数とフォーマット時の当該ディスク状記録媒の管理のためのコードから作成され、当該ディスク状記録媒体を再生若しくは記録する機器を識別するための識別子が記録されてなる管理領域と、情報の再生若しくは記録が行われる情報領域とを有し、上記管理領域に記録されている識別子に基づいて許可される機器によってのみ上記情報領域の再生若しくは記録を可能とした書換型用のディスク状記録媒体の再生装置であって、上記識別子を上記ディスク状記録媒体から読み取る読取手段と、上記再生装置を示す定数を有するとともに、上記定数を基に、上記読取手段により読み取られた識別子が使用可能なディスク状記録媒体であることを示すか否かを判断する判断手段と、上記判断手段の結果に応じて上記ディスク状記録媒体に対する再生動作を制御する制御手段と、上記制御手段の制御に基づいて上記ディスク状記録媒体上に記録されたデータを再生して出力する再生出力手段とを備える。そして、上記制御手段は、上記判断手段の結果により使用可能なディスク状記録媒体であった場合のみ、上記ディスク状記録媒体の情報領域に対する再生処理を行うように上記再生出力手段を制御することを特徴とする。
【００２３】
また、本発明に係るディスク状記録媒体の再生装置は、上記再生出力手段は、上記ディスク状記録媒体上に記録されたデータを再生して出力すると共に、上記読取手段により読み取られた識別子も出力することを特徴とする。
【００２４】
また、本発明に係るディスク状記録媒体の再生装置は、上記識別子は、各々が変数である複数の識別子からなる。また、上記判断手段は、上記複数の識別子を用いた所定の演算を行う演算手段を備える。そして、上記判断手段は、上記演算手段の演算結果が当該判断手段が有する上記定数であった場合のみ、使用可能なディスク状記録媒体であると判断することを特徴とする。
【００２５】
また、本発明に係るディスク状記録媒体の再生装置は、上記識別子は、ディスク状記録媒体の生産管理情報、品質管理情報及びディスク状記録媒体に対応した機器の情報を示す情報からなることを特徴とする。
さらに、本発明に係るディスク状記録媒体の再生装置は、上記定数は、上記再生装置が、上記ディスク状記録媒体に記録されている情報の再生できる範囲を制御するものであることを特徴とする。
【００２６】
【発明の実施の形態】
以下、発明の実施の形態について、図面を参照して詳細に説明する。
【００２７】
まず、本発明に係るディスク状記録媒体は、例えば、図１に示すような光磁気ディスクを使用した書換可能なディスク状記録媒体（以下、単にディスクと言う。）Ｄiscに適用される。
【００２８】
このディスクＤiscは、ＵＴＯＣ（User Table Of Contents）エリアＳuと、データ管理エリアＳdと、ピクチャ管理エリアＳpと、情報書込エリアＳiとがディスク中央から順に設けられている。
【００２９】
そして、ディスクＤiscは、ディスク製造時、すなわちフォーマット時に記録された複数の識別子を有している。すなわち、ディスクＤiscは、例えば、ＵＴＯＣエリアＳuに記録された第１の識別子であるＡＩＤＮｏ．と、ピクチャ管理エリアＳpに記録された第２の識別子であるＢＩＤＮｏ．とを有している。
【００３０】
ＡＩＤＮｏ．とＢＩＤＮｏ．は、図２の（Ａ），（Ｂ）に示すように、各々１６バイト（以下、BITE［０］〜［１５］で示す。）からなる。
【００３１】
ＢＩＤＮｏ．において、まず、BITE［０］，［１］に設けられたフォーマットメーカコードとしては、フォーマットを行ったメーカを示すコードが記録されている。
【００３２】
BITE［２］，［３］に設けられたフォーマット機器コードとしては、フォーマットを行ったフォーマット機器の名称、すなわちフォーマット機器の種類をコード化したものが記録されている。基本的に、このフォーマット機器コードとしては、フォーマット機器の作成メーカが最初の機種から通番で与えられたコードが記録されている。
【００３３】
BITE［４］，［５］に設けられたフォーマッタシリアルＮｏ．コードとしては、フォーマット機器のシリアルナンバーが記録されている。
【００３４】
BITE［６］〜［８］に設けられたディスクＤiscのシリアルＮｏ．コードとしては、上述したフォーマット機器コードが示すフォーマット機器により何枚目に作成されたディスクであるかを示すコードが記録されている。
【００３５】
BITE［９］，［１０］に設けられた著作権コードとしては、作成されたディスクは著作権があるディスクであるか否かを示すコードが記録されている。
【００３６】
BITE［１１］，［１２］に設けられた日付ＩＤコードとしては、フォーマットされた日付けが記録されている。
【００３７】
そして、BITE［１３］〜［１５］に設けられた予備コードは、今後必要時に用いられるエリアである。
【００３８】
上述のように、ＢＩＤＮｏ．には、生産管理や品質管理等に利用することができる各コードが記録されている。すなわち、ＢＩＤＮｏ．は、メーカコードやシリアルＮｏ．のような付加価値ディスクＮｏ．を示すものであり、これが実際のディスクの管理Ｎｏ．となる。
【００３９】
一方、ＡＩＤＮｏ．としては、ＢＩＤＮｏ．と、予め決定されている定数ＣＩＤＮｏ．とを用いた
ＡＩＤＮｏ．＋ＢＩＤＮｏ．＝ＣＩＤＮｏ．      ・・・  式１
なる演算式１を満たすような値、すなわち
ＡＩＤＮｏ．＝ＣＩＤＮｏ．−ＢＩＤＮｏ．
なる演算式で得られる値が記録される。
【００４０】
上述のようなＡＩＤＮｏ．とＢＩＤＮｏ．がディスクＤiscに記録されているため、同じＡＩＤＮｏ．とＢＩＤＮｏ．が記録されたディスクが市場に共存することはほとんどない。
【００４１】
例えば、１００年間にフォーマット機器コードが一巡する、すなわち６５５３６種類のフォーマット機器が作成される、或いは、シリアルＮｏ．コードが一巡する、すなわち１台のフォーマット機器で１日に１６７７７２１６枚のディスクが作成されるということが起こらない限り、同一のＡＩＤＮｏ．とＢＩＤＮｏ．が記録されたディスクが市場に共存することはない。
【００４２】
したがって、市場に出回るディスクの枚数を各フォーマット機器毎に管理することができる。また、例えば、ディスクの不良品が発生した場合には、ＢＩＤＮｏ．により、どのメーカのフォーマット機器により作成されたディスクであるのかを容易に確認することができる。
【００４３】
また、図３に示すように、ディスクＤiscが収められているシェルＤiscーsの表面上部Ｌにディスクの管理Ｎｏ．として、ＢＩＤＮｏ．をインクジェットにて印刷表示する。
【００４４】
ここで、例えば、１６バイトのＢＩＤＮｏ．を１０進数を用いて表すと４１桁となり、１６進数を用いて表すと３２桁となるが、ここでは、フォーマッタシリアルＮｏ．コードやディスクＤiscのシリアルＮｏ．コード等、読み易い状況が望まれる情報に関しては、１０進数を用い、日付ＩＤコード等に関しては、１６進数を用い、フォーマットメーカコード等に関しては、３２進数を用いることにより、全体の表示桁数を削減して、全体の桁数が１８桁となるようにする。
【００４５】
すなわち、図４に示すように、各々が２バイトのフォーマットメーカコード、フォーマット機器コード、及びフォーマッタシリアルＮｏ．コードは、各々３２進数を用いて２桁で表し、３バイトのディスクＤiscのシリアルＮｏ．コードは、１０進数を用いて８桁で表し、２バイトの日付ＩＤコードは、１６進数を用いて４桁で表す。尚、著作権コード及び予備コードに関しては、印刷表示しないものとする。
【００４６】
したがって、上述のように部分的に３２進数を用いることにより、フォーマットメーカコード、フォーマット機器コード、フォーマッタシリアルＮｏ．コード、ディスクＤiscのシリアルＮｏ．コード、及び日付ＩＤコードの合計１１バイトの情報を「ＡＢＣＤＥＦ１２３４５６７８ＤＣＢＡ」のように、１８桁数で印刷表示することができる。
【００４７】
上述のようにして、ディスクＤiscが収められているシェルＤiscーsの表面上部ＬにＢＩＤＮｏ．の情報を印刷表示することにより、使用者は、ディスクＤiscを目視チェックすることができる。例えば、ディスクの不良品が発生した場合には、シェルＤiscーsの表面上部Ｌの印刷表示を見るだけで、どのメーカのフォーマット機器により作成されたディスクであるのかをさらに容易に確認することができる。
【００４８】
また、例えば、使用者がディスクＤiscに記録されたＢＩＤＮｏ．を誤消去した場合でも、上述のような印刷表示を基にしてＢＩＤＮｏ．をディスクＤiscに再度記録することができる。
【００４９】
つぎに、本発明に係るディスク状記録媒体の記録装置、及び本発明に係るディスク状記録媒体の再生装置は、図５に示すような記録／再生装置１００に適用される。
【００５０】
この記録／再生装置１００は、上記図１に示したディスクＤiscに対して、例えば、画像情報の記録処理及び再生処理を行うものであり、ディスクＤiscに対してアクセスするディスクドライブ１０１と、ディスクドライブ１０１と接続されたディスクインターフェース回路（以下、Ｉ／Ｆ回路と言う。）１０２と、Ｉ／Ｆ回路１０２と接続された画像メモリ１０３と、画像メモリ１０３と接続された画像処理回路１０４と、Ｉ／Ｆ回路１０２と画像メモリ１０３間のデータが入力されＩ／Ｆ回路１０２に対して出力する読み取り／判断回路１０５とを備えている。
【００５１】
また、記録／再生装置１００は、例えば、装置全体の動作制御を行う図示していない制御回路を備えており、この制御回路には、装置が対応することができるディスクであるか否かを判断するための情報、例えば、ディスクにおけるＩＤＮｏ．の記録位置、ＩＤＮｏ．の記録桁数、演算方法等の情報が予め設定されている。
【００５２】
まず、図６に示すフローチャートを用いて、記録／再生装置１００における記録処理について説明する。
【００５３】
先ず、上記図１に示したディスクＤiscを記録／再生装置１００の図示していないディスク挿入部からセットする（ステップＳ６1）。
【００５４】
次に、記録動作を実際に行う前に、ディスクドライブ１０１が図示していない制御回路の駆動制御により駆動されることにより、ディスクＤisc上に記録されているＩＤＮｏ．情報等が読み取られる。そして、読み取られたＩＤＮｏ．情報等は、Ｉ／Ｆ回路１０２を介して読み取り／判断回路１０５に供給される。
【００５５】
読み取り／判断回路１０５は、上記制御回路の制御に基いて、Ｉ／Ｆ回路１０２からのＩＤＮｏ．情報等から上述した２つの識別子であるＡＩＤＮｏ．及びＢＩＤＮｏ．を読み込み、ＡＩＤＮｏ．及びＢＩＤＮｏ．と、上記制御回路に予め設定されている定数ＣＩＤＮｏ．とを用いて、上述した演算式１（ＡＩＤＮｏ．＋ＢＩＤＮｏ．＝ＣＩＤＮｏ．）が成立するか否かを判断する（ステップＳ６2）。
【００５６】
ステップＳ６2において、ＡＩＤＮｏ．及びＢＩＤＮｏ．を読み込むことができ、すなわちディスクＤisc上にＡＩＤＮｏ．及びＢＩＤＮｏ．が所定の位置に記録されており、演算式１が成立したと判断した場合、読み取り／判断回路１０５は、ディスクＤiscへの画像情報の記録許可を示す制御信号をＩ／Ｆ回路１０２に供給する（ステップＳ６3）。
【００５７】
この時、画像処理回路１０４は、入出力端子Ｉを介して供給された図示していない画像入力装置からの画像信号に対して、所定の信号処理を施し、信号処理を施した画像信号を画像データとして画像メモリ１０３に記憶する。
【００５８】
そして、Ｉ／Ｆ回路１０２は、読み取り／判断回路１０５からの制御信号により、画像メモリ１０３に記憶された画像データをディスクドライブ１０１に供給する。これにより、ディスクドライブ１０１が駆動され、ディスクＤisc上の所定位置に画像データが記録される（ステップＳ６4）。
【００５９】
次に、上記制御回路は、ディスクＤisc上に画像メモリ１０３に記憶されている画像データを全て記録したか否かを判断する（ステップＳ６5）。
【００６０】
ステップＳ６5において、ディスクＤisc上に画像データを全て記録していないと判断した場合には、上記制御回路は、記録処理が終了するまで、ステップＳ６4の処理を繰り返すように装置全体の動作制御を行う。
【００６１】
ステップＳ６5において、ディスクＤisc上に画像データを全て記録したと判断した場合、上記制御回路は、記録処理終了と見なし、記録処理終了を示すメッセージ等を表示するように図示していないモニタを制御する（ステップＳ６6）。
【００６２】
一方、ステップＳ６2において、ＡＩＤＮｏ．及びＢＩＤＮｏ．を読み込むことができない、すなわちディスクＤisc上にＡＩＤＮｏ．及びＢＩＤＮｏ．が所定の位置に記録されていない、又は演算式１が成立しなかったと判断した場合、上記制御回路は、セットされたディスクＤiscは使用不可能であると見なし（ステップＳ６7）、使用不可示すメッセージ等を表示するように図示していないモニタを制御すると共に、セットされたディスクＤiscを排出するように、上述したディスク挿入部の排出動作を制御する（ステップＳ６8）。
【００６３】
上述のように、記録／再生装置１００では、セットされたディスクＤisc上の所定位置にＡＩＤＮｏ．及びＢＩＤＮｏ．が記録されており、且つＡＩＤＮｏ．及びＢＩＤＮｏ．を用いた演算結果が定数ＣＩＤＮｏ．になるということを確認した後、セットされたディスクＤiscに対してのアクセスを許可するようになされている。
【００６４】
すなわち、記録／再生装置１００では、ディスクＤisc上に記録されたＡＩＤＮｏ．及びＢＩＤＮｏ．を用いて、確認されたメーカにより規定のフォーマットがなされたディスクであることを確認した後、実際の記録動作が行われる。このため、規格外のディスク、違反コピー、違法作成されたディスクを排除することができる。また、ＡＩＤＮｏ．及びＢＩＤＮｏ．を用いた演算の結果を定数化することにより、上述したステップＳ６2で行われるディスクの判断処理に用いる判断情報を定数化することができる。これにより、上記判断処理を簡単な比較回路、又はソフトで行うことができる。したがって、記録／再生装置１００の低価格化を図ることができる。
【００６５】
つぎに、記録／再生装置１００における再生処理については、上述した記録処理と同様にして、ディスクＤisc上に記録されたＡＩＤＮｏ．及びＢＩＤＮｏ．を用いて、確認されたメーカにより規定のフォーマットがなされたディスクであることを確認した後、実際の再生動作が行われるようになされている。
【００６６】
ここで、記録／再生装置１００を用いて、例えば、図７に示すように、ディスクＤiscＡ，ＤiscＢ上に記録された画像情報を再生してプリントアウトする場合について説明する。
【００６７】
尚、ディスクＤiscＡには、画面ＤAの情報が記録されていると共に、上述したディスクＤiscと同様に、ＡＩＤＮｏ．及びＢＩＤＮｏ．が記録されている。また、ディスクＤiscＢには、画面ＤBの情報が記録されていると共に、上述したディスクＤiscと同様に、ＡＩＤＮｏ．及びＢＩＤＮｏ．が記録されている。さらに、ディスクＤiscＡが収められているシェルの表面上部ＬAには、ＢＩＤＮｏ．を示す「１２３−４５６７−９００」が印刷表示されており、ディスクＤiscＢが収められているシェルの表面上部ＬBには、ＢＩＤＮｏ．の情報である「１２３−４５６７−９０１」が印刷表示されている。
【００６８】
そこで、先ず、上述した記録処理と同様にして、ディスクの判断処理により、セットされたディスク、例えば、ディスクＤiscＡが確認されたメーカにより規定のフォーマットがなされたディスクであると判断された後、再生動作が許可される。これにより、ディスクドライブ１０１が図示していない制御回路の駆動制御により駆動され、ディスクＤiscＡ上に記録されている画面ＤAの情報が読み取られる。
【００６９】
次に、ディスクＤiscＡから読み取られた画面ＤAの情報がＩ／Ｆ回路１０２を介して画像メモリ１０３に記憶される。この時、ディスク判断処理時にディスクＤiscＡ上から読み取られたＡＩＤＮｏ．及びＢＩＤＮｏ．も画像メモリ１０３に記憶される。
【００７０】
そして、画像メモリ１０３に記憶された画面ＤAの情報、ＡＩＤＮｏ．及びＢＩＤＮｏ．が画像処理回路１０４に供給される。
【００７１】
画像処理回路１０４は、画像メモリ１０３からの画面ＤAの情報、ＡＩＤＮｏ．及びＢＩＤＮｏ．からプリントアウトするための出力データを生成し、生成した出力データを入出力端子Ｉを介して図示していないプリンタに供給する。
【００７２】
そして、上記プリンタは、入出力端子Ｉを介して供給された出力データに基いた画像をプリントアウトする。したがって、上記図７に示すように、ディスクＤiscＡ上に記録されているＢＩＤＮｏ．の情報である「１２３−４５６７−９００」がプリント用紙の欄外ｐｌAに印刷表示されたプリント画面ＰAが得られる。
【００７３】
また、ディスクＤiscＢについても、ディスクＤiscＡの場合と同様にして、画像処理回路１０４により、画面ＤBの情報、ＡＩＤＮｏ．及びＢＩＤＮｏ．に基いた出力データが生成され、上記プリンタにより、画像処理回路１０４で生成された出力データに基いた画像がプリントアウトされる。したがって、上記図７に示すように、ディスクＤiscＢ上に記録されているＢＩＤＮｏ．の情報である「１２３−４５６７−９０１」がプリント用紙の欄外ｐｌBに印刷表示されたプリント画面ＰBが得られる。
【００７４】
上述のように、プリント画面には、ディスクのＢＩＤＮｏ．の情報が欄外に印刷表示されるため、プリント画面ＰAは、ディスクＤiscＡから得られたプリント結果であり、プリント画面ＰBは、ディスクＤiscＢから得られたプリント結果であるということを容易に判断することができる。このため、再度プリントアウトしたい場合においても、元のディスクであるディスクＤiscＡ，ＤiscＢの内容を再度モニタＭを用いて再度確認する必要はない。
【００７５】
また、例えば、ディスクＤiscＡ上に記録された画像情報を他のディスクＤiscＣにコピーする場合には、先ず、上述のようにして再生動作が許可されると、ディスクドライブ１０１が上記制御回路の駆動制御により駆動されることにより、コピー元のディスクであるディスクＤiscＡ上に記録されている画面ＤAの情報が読み取られ、読み取られた画面ＤAの情報がＩ／Ｆ回路１０２を介して画像メモリ１０３に記憶される。この時、ディスク判断処理時にディスクＤiscＡ上から読み取られたＡＩＤＮｏ．及びＢＩＤＮｏ．も画像メモリ１０３に記憶される。
【００７６】
次に、コピー先のディスクであるディスクＤiscＣを図示していないディスク挿入部からセットする。そして、ディスクＤiscＣに対して、上記図６に示した記録処理と同様にして、ディスクＤiscＣの判断処理が行われる。
【００７７】
ディスクＤiscＣの判断処理の結果、ディスクＤiscＣが確認されたメーカにより規定のフォーマットがなされたディスクであると判断された場合、記録動作が許可される。これにより、ディスクＤiscＣには、画像メモリ１０３に記憶された画面ＤAの情報、ＡＩＤＮｏ．及びＢＩＤＮｏ．が記録されることとなる。
【００７８】
上述のように、コピー先のディスクであるディスクＤiscＣには、コピー元のディスクであるディスクＤiscＡに記録されている画像情報と共にＡＩＤＮｏ．及びＢＩＤＮｏ．が記録される。これより、コピー元のディスクがどのディスクであるかを容易に判断することができる。また、ディスクの管理、及びディスクに記録されている情報の管理を効率的に行うことができる。
【００７９】
尚、上記図１に示したディスクＤiscにおいて、ＡＩＤＮｏ．は、ＵＴＯＣエリアＳuに記録されているものとしたが、データ管理エリアＳdに記録されているものとしてもよい。
【００８０】
また、上記図２の（Ａ），（Ｂ）に示したＡＩＤＮｏ．及びＢＩＤＮｏ．の構成を図８の（Ａ），（Ｂ）に示すような構成としてもよい。
【００８１】
すなわち、上記図２の（Ａ）では、ＡＩＤＮｏ．を１６バイトとしたが、上記図８の（Ａ）では、ＡＩＤＮｏ．を１バイト（＝８ビット）とする。この場合、１６バイトのＢＩＤＮｏ．を１バイト化する必要がある。
【００８２】
そこで、上記図８の（Ｂ）に示すように、ＢＩＤＮｏ．内の代表コードを複数選択し、例えば、BITE［６］〜［８］に設けられたディスクＤiscのシリアルＮｏ．コードのBITE［８］と、BITE［１１］，［１２］に設けられた日付ＩＤコードのBITE［１２］を選択し、BITE［８］の下位４ビットを上位ビットとし、BITE［１２］の下位４ビットを上位ビットとする１バイトのコードＢcodeを再構築する。そして、コードＢcodeと上述した定数ＣＩＤＮｏ．とを用いた
ＡＩＤＮｏ．＋Ｂcode．＝ＣＩＤＮｏ．        ・・・  式３
なる演算式３を満たすような値がＡＩＤＮｏ．に記録されているものとする。
【００８３】
また、記録／再生装置１００の読み取り／判断回路１０５でディスクの判断処理を行う場合においても、ディスク上に記録されているＢＩＤＮｏ．から１バイトのコードＢcodeを再構築して、演算式３を用いた判断処理を行う。
【００８４】
上述のように、ＡＩＤＮｏ．を１バイトとすることにより、読み取り／判断回路１０５での比較、演算データ数を低減することができるため、ハードウェア及びソフトウェアの規模を削減することができる。したがって、記録／再生装置１００の低価格化をさらに図ることができる。
【００８５】
或いは、ＡＩＤＮｏ．を１バイトとした場合、ＢＩＤＮｏ．内の代表コードを複数選択するのではなく、図９の（Ａ），（Ｂ）に示すように、各コードから１〜２ビットづつ抽出して、１バイトのコードＢcodeを再構築するものとしてもよい。
【００８６】
或いは、ＡＩＤＮｏ．を１バイトとした場合、図１０の（Ａ），（Ｂ）に示すように、予備コードを利用して、ＢＩＤＮｏ．内に上述のようなコードＢcodeを直接記録する１バイト分のエリアを確保するようにしてもよい。これにより、上述のようにして１６バイトのＢＩＤＮｏ．から１バイトのコードＢcodeを再構築する手間を省くことができる。
【００８７】
また、上記図６に示した記録／再生装置１００における記録処理を、図１１に示すような記録処理としてもよい。
【００８８】
すなわち、上述したステップＳ６2において、ＡＩＤＮｏ．及びＢＩＤＮｏ．を読み込むことができない、すなわちディスクＤisc上にＡＩＤＮｏ．及びＢＩＤＮｏ．が所定の位置に記録されていない、又は演算式１（ＡＩＤＮｏ．＋ＢＩＤＮｏ．＝ＣＩＤＮｏ．）が成立しなかったと判断した場合、セットされたディスクＤiscは使用不可能であると見なすのではなく、次のステップＳ１１1の判断処理に進む。
【００８９】
ステップＳ１１1では、ステップＳ６2にて用いたＡＩＤＮｏ．及びＢＩＤＮｏ．と、定数ＣＩＤＮｏ．とに加えて、定数αを用いた
ＡＩＤＮｏ．＋ＢＩＤＮｏ．＝ＣＩＤＮｏ．＋α  ・・・  式４
なる演算４が成立するか否かを判断する。
【００９０】
ここで、定数ＣＩＤＮｏ．に加算する定数αは、例えば、α＝１は、写真画像専用ディスク、α＝２は、写真画像及び音声入力可能ディスク、α＝３は、写真画像及び簡易動画再生可能ディスクというように、装置が対応することができるディスクの種類に応じて予め設定される値である。
【００９１】
そして、ステップＳ１１1において、演算式２が成立したと判断した場合に、セットされたディスクは、確認されたメーカにより規定のフォーマットがなされたディスクであると見なし、上述したステップＳ６3〜ステップＳ６6の記録処理と同様に、ステップＳ１１2〜ステップＳ１１5の各処理により記録処理を行う。
【００９２】
一方、ステップＳ１１1において、演算式２が成立しなかったと判断した場合には、セットされたディスクは、使用不可能であると見なし、上述したステップＳ６7及びステップＳ６8の不許可処理を行う。
【００９３】
上述のように、定数αを定数ＣＩＤＮｏ．に加算することにより、判断処理に用いる判断情報（ＣＩＤＮｏ．＋α）を変化させることができる。また、セットされたディスクがどのような種類のディスクであるかを容易に判断することができる。特に、セットされたディスクに対して再生処理を行う場合には、何が記録されたディスクであるかをディスクに記録されたＡＩＤＮｏ．及びＢＩＤＮｏ．を読み取ることにより判断することができるため、装置自体がディスクに記録されている情報のどこまでを再生することができるかを使用者に示すことができる。
【００９４】
【発明の効果】
本発明に係るディスク状記録媒体では、フォーマット時に記録されたディスク状記録媒体を識別する識別子を有する。これにより、ディスク状記録媒体及び上記ディスク状記録媒体に記録されている情報を容易に識別することができる。
【００９５】
また、本発明に係るディスク状記録媒体では、上記識別子は、各々が変数である複数の識別子からなり、上記複数の識別子を用いた所定の演算を行った結果は、定数となる。これにより、同一の識別子を有するディスク状記録媒体が市場に共存することをさけることができるため、ディスク状記録媒体及び上記ディスク状記録媒体に記録されている情報の管理を効率的に行うことができる。
【００９６】
また、本発明に係るディスク状記録媒体では、上記識別子は、ディスク状記録媒体の生産管理情報、品質管理情報、及びディスク状記録媒体に対応した機器の情報を示す。これにより、ディスク状記録媒体及び上記ディスク状記録媒体に記録されている情報の管理をさらに効率的に行うことができる。
【００９７】
また、本発明に係るディスク状記録媒体では、上記識別子が示す情報がディスク状記録媒体上に印刷表示されている。これにより、ディスク状記録媒体を目視チェックすることができる。したがって、ディスク状記録媒体及び上記ディスク状記録媒体に記録されている情報をさらに容易に識別することができる。また、ディスク状記録媒体及び上記ディスク状記録媒体に記録されている情報の管理をさらに効率的に行うことができる。
【００９８】
本発明に係るディスク状記録媒体の記録装置では、読取手段は、フォーマット時に記録されたディスク状記録媒体を識別する識別子を書換型用のディスク状記録媒体上から読み取る。判断手段は、上記読取手段により読み取られた識別子により使用可能なディスク状記録媒体であるか否かを判断する。制御手段は、上記判断手段の結果により、使用可能なディスク状記録媒体であった場合のみ、上記ディスク状記録媒体に対する記録処理を行うように記録手段を制御する。上記記録手段は、上記制御手段の制御に基いてディスク状記録媒体に対する記録処理を行う。上記ディスク状記録媒体上に記録されている識別子により、ディスク状記録媒体及び上記ディスク状記録媒体に記録されている情報を容易に識別することができる。また、使用可能なディスク状記録媒体のみに記録処理を行うことができる。
【００９９】
また、本発明に係るディスク状記録媒体の記録装置では、演算手段は、各々が変数である複数の識別子からなる上記識別子を用いた所定の演算を行う。そして、上記判断手段は、上記演算手段の演算結果が所定の定数であった場合のみ、使用可能なディスク状記録媒体であると判断する。これにより、上記判断手段を簡単化することができる。したがって、装置の低価格化を図ることができると共に、ディスク状記録媒体及び上記ディスク状記録媒体に記録されている情報を容易に識別することができる。また、同一の識別子を有するディスク状記録媒体が市場に共存することをさけることができるため、ディスク状記録媒体及び上記ディスク状記録媒体に記録されている情報の管理を効率的に行うことができる。
【０１００】
また、本発明に係るディスク状記録媒体の記録装置では、上記識別子は、上記ディスク状記録媒体の生産管理情報、品質管理情報、及び上記ディスク状記録媒体に対応した機器の情報を示す。これにより、ディスク状記録媒体及び上記ディスク状記録媒体に記録されている情報の管理をさらに効率的に行うことができる。
【０１０１】
本発明に係るディスク状記録媒体の再生装置では、読取手段は、フォーマット時に記録されたディスク状記録媒体を識別する識別子を書換型用のディスク状記録媒体上から読み取る。判断手段は、上記読取手段により読み取られた識別子により使用可能なディスク状記録媒体であるか否かを判断する。制御手段は、上記判断手段の結果により、使用可能なディスク状記録媒体であった場合のみ、上記ディスク状記録媒体に対する再生出力処理を行うように再生手段を制御する。上記再生出力手段は、上記制御手段の制御に基いて上記ディスク状記録媒体上に記録されたデータを再生して出力する。上記ディスク状記録媒体上に記録されている識別子により、ディスク状記録媒体及び上記ディスク状記録媒体に記録されている情報を容易に識別することができる。また、使用可能なディスク状記録媒体のみに再生処理を行うことができる。
【０１０２】
また、本発明に係るディスク状記録媒体の再生装置では、上記再生出力手段は、上記ディスク状記録媒体上に記録されたデータを再生して出力すると共に、上記読取手段により読み取られた識別子も出力する。これにより、再生して得られた情報がどのディスク状記録媒体に記録されている情報であるかを容易に判断することができる。したがって、ディスク状記録媒体及び上記ディスク状記録媒体に記録されている情報を容易に識別することができると共に、ディスク状記録媒体及び上記ディスク状記録媒体に記録されている情報の管理を効率的に行うことができる。
【０１０３】
また、本発明に係るディスク状記録媒体の再生装置では、演算手段は、各々が変数である複数の識別子からなる上記識別子を用いた所定の演算を行う。そして、上記判断手段は、上記演算手段の演算結果が所定の定数であった場合のみ、使用可能なディスク状記録媒体であると判断する。これにより、上記判断手段を簡単化することができる。したがって、装置の低価格化を図ることができると共に、ディスク状記録媒体及び上記ディスク状記録媒体に記録されている情報を容易に識別することができる。また、同一の識別子を有するディスク状記録媒体が市場に共存することをさけることができるため、ディスク状記録媒体及び上記ディスク状記録媒体に記録されている情報の管理を効率的に行うことができる。
【０１０４】
また、本発明に係るディスク状記録媒体の再生装置では、上記識別子は、ディスク状記録媒体の生産管理情報、品質管理情報、及びディスク状記録媒体に対応した機器の情報を示す情報からなる。これにより、ディスク状記録媒体及び上記ディスク状記録媒体に記録されている情報の管理をさらに効率的に行うことができる。
【図面の簡単な説明】
【図１】本発明に係るディスク状記録媒体上のフォーマットを示す平面図である。
【図２】上記ディスク状記録媒体に記録されたＡＩＤＮｏ．及びＢＩＤＮｏ．の構造を説明するための図である。
【図３】上記ディスク状記録媒体が収められているシェルへのＢＩＤＮｏ．の印刷表示を説明するための図である。
【図４】上記ＢＩＤＮｏ．の印刷表示の方法を説明するための図である。
【図５】本発明に係るディスク状記録媒体の記録装置及び再生装置を適用した記録／再生装置の構成を示すブロック図である。
【図６】上記記録／再生装置における記録処理を示すフローチャートである。
【図７】上記ＢＩＤＮｏ．による画像情報のプリント結果及びコピー結果の管理について説明するための図である。
【図８】上記ディスク状記録媒体に記録されたＡＩＤＮｏ．を１バイトとした場合のＢＩＤＮｏ．の再構築処理１を説明するための図である。
【図９】上記ディスク状記録媒体に記録されたＡＩＤＮｏ．を１バイトとした場合のＢＩＤＮｏ．の再構築処理２を説明するための図である。
【図１０】上記ディスク状記録媒体に記録されたＡＩＤＮｏ．を１バイトとした場合のＢＩＤＮｏ．の再構築処理３を説明するための図である。
【図１１】上記記録／再生装置における記録処理において、ディスクの種類を判断する場合の記録処理を示すフローチャートである。
【図１２】従来の画像情報のプリント結果及びコピー結果の管理について説明するための図である。
【符号の説明】
１００  記録／再生装置
１０１  ディスクドライブ
１０２  ディスクインターフェース回路
１０３  画像メモリ
１０４  画像処理回路
１０５  読み取り／判断器
【図１】
0003758219.tif 000002
【図２】
0003758219.tif 000003
【図３】
0003758219.tif 000004
【図４】
0003758219.tif 000005
【図５】
0003758219.tif 000006
【図６】
0003758219.tif 000007
【図７】
0003758219.tif 000008
【図８】
0003758219.tif 000009
【図９】
0003758219.tif 000010
【図１０】
0003758219.tif 000011
【図１１】
0003758219.tif 000012
【図１２】
0003758219.tif 000013